【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
表示部上に複数種の絵柄が所定の順序で配列された複数の絵柄列をそれぞれ並行するように配置し、該各絵柄列の絵柄を循環するように配列方向にスクロール表示させる絵柄表示装置と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を開始させると共に、前記抽選手段の抽選結果が当選である場合には前記複数の絵柄を特定絵柄の組合せで停止するよう前記絵柄表示装置を表示制御する表示制御手段と
を備え、
前記変動表示を終了させる前段階として、前記表示部内の予め設定された複数の有効ラインのうちの１の有効ライン上に前記特定絵柄の組合せが成立する可能性のあるリーチ絵柄の組合せを停止表示させることによりリーチラインを形成させ、該リーチラインが形成されている状況下において最終停止絵柄列によりリーチ変動を行い得る構成とした遊技機において、
前記複数の有効ラインとして、少なくとも前記複数の絵柄列の変動方向と垂直に交わる第１有効ラインと、該第１有効ラインに対して傾斜した第２有効ラインと、該第２有効ラインと交差する第３有効ラインとを設定した上で、前記第２有効ラインと前記第３有効ラインとが同時に前記リーチラインを形成し得るようにし、
さらに、前記第２有効ラインと前記第３有効ラインとの交差する位置を前記最終停止絵柄列の絵柄が通過するように設定することにより該交差する２の有効ライン上に同時に前記最終停止絵柄列の１の絵柄が停止し得る構成とし、
前記表示制御手段は、
前記第１有効ライン上に前記リーチ絵柄の組合せが停止表示されると、そのリーチ絵柄を前記第２有効ライン上に移動させて前記リーチラインを変更するよう前記絵柄表示装置を制御するリーチライン変更手段と、
前記リーチライン変更手段による前記リーチラインの変更に伴って、前記リーチラインを形成する前記絵柄列の中で前記リーチ絵柄以外の絵柄を少なくとも前記最終停止絵柄列の変動が停止表示されるまで視認不能とするよう前記絵柄表示装置を制御する視認不能化手段と、
前記抽選手段の抽選結果が非当選であり、前記リーチライン変更手段及び前記視認不能化手段によってリーチラインが形成され得る場合に、前記最終停止絵柄列の最終停止絵柄を決定し、該最終停止絵柄を表示するよう前記絵柄表示装置を制御する最終停止絵柄表示手段と、
前記視認不能化手段によって視認不能とされた絵柄をその変動停止後に再表示するよう前記絵柄表示装置を制御する絵柄再表示手段と
を備え、
前記最終停止絵柄表示手段は、前記リーチラインが形成される前記第２有効ライン上の他に前記第３有効ライン上で特定絵柄の組合せとなり得ない絵柄を前記最終停止絵柄として設定する最終停止絵柄設定手段を備えたことを特徴とする遊技機。
【請求項２】
前記絵柄再表示手段によって絵柄が再表示される段階、或いは絵柄が再表示されている最中に、前記変動開始判断手段により次の遊技回の変動開始条件が成立した場合には、前記絵柄再表示手段による絵柄の再表示を中止し、次の遊技回の変動表示を開始することを特徴とする請求項１に記載の遊技機。
【請求項３】
前記絵柄の変動の最中に、前記変動開始判断手段によって次の遊技回の変動開始条件成立を示す判断結果が取得され、その判断結果による変動表示を一旦留保する留保手段と、
前記絵柄列の変動開始時における前記留保手段による留保の有無を判別する変動開始時判別手段と
を備え、
前記表示制御手段は、前記変動開始時判別手段による留保有無の判別結果に応じて前記絵柄再表示手段の絵柄再表示を許可するか否かを決定する絵柄再表示決定手段を備え、
前記変動開始時判別手段によって留保が存在すると判別されると、前記絵柄再表示決定手段は前記絵柄再表示手段による絵柄再表示を非許可とし、さらに前記表示制御手段は前記最終停止絵柄表示手段による最終停止絵柄の停止表示後に次の遊技回の変動表示を開始させるべく前記絵柄表示装置を制御することを特徴とする請求項１に記載の遊技機。
【請求項４】
前記最終停止絵柄表示手段は、
リーチラインが形成されている第２有効ライン上で特定絵柄の組合せとなり得ない絵柄を前記最終停止絵柄として設定する外れ絵柄設定手段と、
前記最終停止絵柄設定手段と前記外れ絵柄設定手段とを選択する最終停止絵柄設定選択手段と
を備え、
前記最終停止絵柄設定選択手段は、少なくとも前記変動開始時判別手段によって留保が存在しないと判別された場合に、前記最終停止絵柄設定手段を選択することを特徴とする請求項３に記載の遊技機。
【請求項５】
前記最終停止絵柄設定選択手段は、前記変動開始時判別手段によって留保が存在すると判別された場合に、前記外れ絵柄設定手段を選択することを特徴とする請求項４に記載の遊技機。
【請求項６】
前記最終停止絵柄表示手段による前記最終停止絵柄の停止表示時における留保の有無を判別する停止表示時判別手段を備え、
前記変動開始時判別手段によって留保が存在しないと判別された後、前記停止表示時判別手段によって留保が存在すると判別された場合には、前記絵柄再表示決定手段は、前記絵柄再表示手段による絵柄再表示を非許可とし、さらに前記表示制御手段は前記最終停止絵柄表示手段による最終停止絵柄の停止表示後に次の遊技回の変動表示を開始させるべく前記絵柄表示装置を制御することを特徴とする請求項３乃至５のいずれか１項に記載の遊技機。
【請求項７】
前記リーチラインの変更及びリーチ絵柄以外の絵柄の視認不能化は、前記第１有効ライン上にリーチラインが形成されてから所定時間の経過後に行われることを特徴とする請求項１乃至６のいずれか１項に記載の遊技機。
【請求項８】
前記表示部を矩形状に形成し、
前記第１有効ラインを複数設定すると共に、前記表示部の一辺に沿うように設定し、
さらに、前記第２有効ラインを前記表示部の対角線方向に設定し、
前記最終停止絵柄列を、前記複数の絵柄列のうちその中央の絵柄列に設定したことを特徴とする請求項１乃至７のいずれか１項に記載の遊技機。
【請求項９】
前記表示制御手段は、前記複数の有効ラインのうち１の有効ライン上に停止表示させる各絵柄列の絵柄を決定した上で、その決定絵柄と絵柄列の所定順序の配列とからその他の有効ライン上に停止表示させる絵柄を決定することを特徴とする請求項１乃至８のいずれか１項に記載の遊技機。
【請求項１０】
表示部上に複数種の絵柄が配列された３つの絵柄列をそれぞれ並行するように配置し、該絵柄列の絵柄を循環するように配列方向にスクロール表示させる絵柄表示装置と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を開始させると共に、前記抽選手段の抽選結果が当選である場合には前記複数の絵柄を特定絵柄の組合せで停止するよう前記絵柄表示装置を表示制御する表示制御手段と
を備え、
前記３つの絵柄列のうち両側に位置する絵柄列が停止表示される段階で、前記表示部内の予め設定された複数の有効ラインのうちの１の有効ライン上に前記特定絵柄の組合せが成立する可能性のあるリーチ絵柄の組合せを停止表示させることによりリーチラインを形成させ、該リーチラインが形成されている状況下において前記３つの絵柄列のうち中間に位置する絵柄列である最終停止絵柄列の絵柄によりリーチ変動を行い得る構成とした遊技機において、
前記複数の有効ラインとして、少なくとも前記複数の絵柄列の変動方向と垂直に交わる第１有効ラインと、該第１有効ラインに対して傾斜した第２有効ラインと、該第２有効ラインと交差する第３有効ラインとを設定した上で、該第２有効ラインと該第３有効ラインとの交差する位置を前記最終停止絵柄列の絵柄が通過するように設定することにより該交差する２の有効ライン上に同時に前記最終停止絵柄列の１の絵柄が停止し得るようにし、
さらに両側に位置する絵柄列のうちの一方の絵柄列には、その変動方向に対して所定の順序で前記複数種の絵柄を配列し、他方の絵柄列には、前記複数種の絵柄を前記所定の順序とは逆の順序で配列することにより、前記第２有効ライン上に前記リーチ絵柄の組合せによるリーチラインと前記第３有効ライン上に前記リーチ絵柄の組合せによるリーチラインとが同時に形成され得る構成とし、
前記表示制御手段は、
前記第１有効ライン上に前記リーチ絵柄の組合せが停止表示されると、そのリーチ絵柄を前記第２有効ライン上に移動させて前記リーチラインを変更するよう前記絵柄表示装置を制御するリーチライン変更手段と、
前記リーチライン変更手段による前記リーチラインの変更に伴って、前記リーチラインを形成する前記絵柄列の中で前記リーチ絵柄以外の絵柄を少なくとも前記最終停止絵柄列の変動が停止表示されるまで視認不能とするよう前記絵柄表示装置を制御する視認不能化手段と、
前記抽選手段の抽選結果が非当選であり、前記リーチライン変更手段及び前記視認不能化手段によってリーチラインが形成され得る場合に、前記最終停止絵柄列の最終停止絵柄を決定し、該最終停止絵柄を表示するよう前記絵柄表示装置を制御する最終停止絵柄表示手段と、
前記視認不能化手段によって視認不能とされた絵柄をその変動停止後に再表示するよう前記絵柄表示装置を制御する絵柄再表示手段と
を備え、
前記最終停止絵柄表示手段は、前記リーチラインが形成される前記第２有効ライン上の他に前記第３有効ライン上で特定絵柄の組合せとなり得ない絵柄を前記最終停止絵柄として設定する最終停止絵柄設定手段を備えたことを特徴とする遊技機。